(57)【特許請求の範囲】
【請求項１】
容器体２の口頚部３外周に嵌合させた装着筒４により容器体内に下部を垂下させた状態で固定させるシリンダ５と、該シリンダ上端中央の開口より上下動可能に突出させたステム６の上端部に噴出ヘッド７を嵌着固定するとともに、ステム外周下部に連係させた環状ピストン８の外周縁部をシリンダ５内面に摺動可能に嵌合させ、且つ、押し下げ状態で係止可能に構成してなる作動部材９とを備え、作動部材の上下動により容器体内の液を吸い上げてヘッドの噴出口ａより噴出する如く構成した液体噴出ポンプに於いて、シリンダ内中央に下端開口の筒状部25を支持固定するとともに、筒状部内周に外周縁を上下摺動可能に密嵌させた可動シール部26を設けてその上方の筒状部内を空気室Ｒに形成し、作動部材９と可動シール部26とを連動させるとともに、作動部材の押し下げにより拡張した空気室Ｒの負圧による可動シール部26の復帰に伴って作動部材９が復帰する如く構成し、筒状部25上端部に空気室内の空気を外部へ一方的に排出する排気弁37を設けたことを特徴とする液体噴出ポンプ。
【請求項２】
上記排気弁37が、筒状部25上端部に形成した縮径部25a に穿設した排気孔38と、縮径部25a 外周に密嵌させた柔軟で弾力性に富む材質で形成された環状弁体39とで構成してなる排気弁37である請求項１記載の液体噴出ポンプ。
【発明の詳細な説明】
【０００１】
【発明の属する技術分野】
本発明は液体噴出ポンプに関する。
【０００２】
【従来の技術】
液体噴出ポンプとして、例えば、装着する容器体内に下端を垂下させた状態で固定させたシリンダと、該シリンダ上端開口部より上下動可能に突出させたステムの上端部に噴出ヘッドを嵌着固定するとともに、ステム下部に連係させた環状ピストン外周縁をシリンダ内面に摺動可能に嵌合させた作動部材とを備え、該作動部材の上下動により容器体内の液を吸い上げてヘッドの噴出口より噴出する如く構成してなるものが知られている。
【０００３】
【発明が解決しようとする課題】
従来のこの種のポンプに於ける作動部材の復帰機構、即ち、作動部材を押し下げた際に元の上昇位置に復帰する復帰機構として一般に金属製のコイルスプリングを使用している。
【０００４】
作動部材の復帰機構に上記金属製のコイルスプリングを採用しているものでは、良好な復帰機能を発揮してポンプの良好な液注出機能を発揮できるものではあるが、近年の廃棄物処理事情では、金属とプラスチックの分別処理が要望され、従来のものでは、これらコイルスプリングが一般に微細であること、内部に密閉れていること等の理由によりこの分別が極めて困難であった。また、組み立てに際しても、これらコイルスプリングは微細のため取り扱いが不便であった。
【０００５】
本発明は上記した点に鑑みなされたもので、金属製のコイルスプリングを使用せずに全体を分別処理の必要のない合成樹脂等により形成できるとともに、優れた作動部材の復帰能力を備え、しかも使用前の運搬，保管時に作動部材を押し下げ係止した状態て安定的に維持することができ、長期の保管にもポンプ機能を損なう等の虞がなく、構造が簡単な液体噴出ポンプを提案するものである。
【０００６】
【課題を解決するための手段】
本請求項１発明のポンプは上記課題を解決するため、容器体２の口頚部３外周に嵌合させた装着筒４により容器体内に下部を垂下させた状態で固定させるシリンダ５と、該シリンダ上端中央の開口より上下動可能に突出させたステム６の上端部に噴出ヘッド７を嵌着固定するとともに、ステム外周下部に連係させた環状ピストン８の外周縁部をシリンダ５内面に摺動可能に嵌合させ、且つ、押し下げ状態で係止可能に構成してなる作動部材９とを備え、作動部材の上下動により容器体内の液を吸い上げてヘッドの噴出口ａより噴出する如く構成した液体噴出ポンプに於いて、シリンダ内中央に下端開口の筒状部25を支持固定するとともに、筒状部内周に外周縁を上下摺動可能に密嵌させた可動シール部26を設けてその上方の筒状部内を空気室Ｒに形成し、作動部材９と可動シール部26とを連動させるとともに、作動部材の押し下げにより拡張した空気室Ｒの負圧による可動シール部26の復帰に伴って作動部材９が復帰する如く構成し、筒状部25上端部に空気室内の空気を外部へ一方的に排出する排気弁37を設けたことを特徴とする液体噴出ポンプとして構成した。
【０００７】
また、請求項２発明のポンプは、上記排気弁37が、筒状部25上端部に形成した縮径部25a に穿設した排気孔38と、縮径部25a 外周に密嵌させた柔軟で弾力性に富む材質で形成された環状弁体39とで構成してなる排気弁37である請求項１記載の液体噴出ポンプとして構成した。
【０００８】
【発明の実施の形態】
以下、本発明の実施例の形態を図面を参照して説明する。
本発明の液体噴出ポンプ１は、容器体２の口頚部３外周に嵌合させる装着筒４により容器体内に下部を垂下させた状態で固定させたシリンダ５と、該シリンダ上端中央の開口より上下動可能に突出させたステム６の上端部に噴出ヘッド７を嵌着固定するとともに、ステム外周下部に連係させた環状ピストン８の外周縁部をシリンダ５内面に摺動可能に嵌合させ、且つ、押し下げ状態で係止可能に構成してなる作動部材９とを備えている。
図示例に於いて装着筒４は、口頚部３外周に嵌合させる周壁上端縁よりフランジを内方へ延設して構成している。
【０００９】
シリンダ５は、上部外面よりフランジを突設し、該フランジをパッキン10を介して容器体口頚部３上面に当接させるとともに、その上面を装着筒４のフランジにより押圧係止させている。また、下面より縮径したパイプ嵌合筒11を垂設しており、このパイプ嵌合筒内に上端を嵌着したパイプ12を容器体内下部に垂下させる。
【００１０】
シリンダの内面上端部には補助キャップ13を嵌着させており、該キャップは、シリンダ５上端外周に嵌合させた外嵌合筒と、シリンダ上端内周に嵌合させた内嵌合筒とを、ドーナツ板状の頂板下面周縁部より垂設し、また、頂板内周縁部より、ステム６を挿通する案内筒を垂設している。更に、外嵌合筒外周には、噴出ヘッド７を係止するための係止突条14を周設している。
【００１１】
ステム６は、シリンダ内と連通してその中の液をその上方の噴出ヘッド７に導入する導管で、外周下端部より突設した環状ピストン８をシリンダ５内周面に液密摺動可能に嵌合させており、この環状ピストン８内面とステム６下面とで形成する下向き段部を設けている。
【００１２】
噴出ヘッド７は、ステム６の外周上端部に内周下端部を嵌着固定した縦筒15を頂壁16裏面中央部より垂設するとともに、頂壁周縁部より周壁17を垂設し、また、縦筒15上端に基端を開口するとともに、周壁17を貫通して前方へ突出するノズル18を設けている。更に、周壁17内周下部には、押し下げ状態で補助キャップ13の係止突条14と係合する係合突条19を突周設しており、これらの係合により作動部材９を押し下げ状態で係止可能に構成している。
【００１３】
また、シリンダ５内下端部には吸い込み弁20を、ステム６内には吐出弁21を、それぞれ設け、作動部材の上下動により容器体内の液を吸い上げてヘッドの噴出口ａより噴出する如く構成した公知のポンプ機構を備えたものである。図示例の吸い込み弁20は、シリンダ５内周下端部に嵌合させた環状枠22内面より、周方向複数の弾性棒状片23を突設し、この棒状片を介して中央に支持した弁板24によりシリンダ下端の弁孔を圧接閉塞している。
本発明では、この種のポンプに於いて、押し下げた作動部材９の復帰機構として、筒状部25と、作動部材９と連動する可動シール部26とを設けている。
【００１４】
筒状部25は、シリンダ内中央に支持固定した下端面開口の筒状をなし、また、その固定支持は、シリンダ５下端よりシリンダ内へ導入される液を筒状部25周囲から上方へ通過可能な状態に固定支持すれば良く、図示例では、上端部を縮径させた下端開口の円筒状をなす筒状部25を設けており、その下面より下方へ一体に且つ液の流通が可能に延設した脚27によりシリンダ５中央部に固定支持している。脚27は、筒状部25と同径の筒部下端縁より外方へフランジを延設するとともに、筒部を縦断してフランジ縁部まで延びるＬ字状の切欠き部27a を周後方複数穿設して構成している。そして、フランジ外周縁部をシリンダ内周下端部に嵌合し、シリンダ内周面に周方向複数突設した係止突起28下面に乗り越え係合させて固定している。
【００１５】
可動シール部26は、筒状部25内周に外周縁を上下摺動可能に密嵌させ、その上方の筒状部内を空気室Ｒに形成している。
また、作動部材９と可動シール部26との連動は、シリンダ５下端よりシリンダ内へ導入される液を筒状部周囲から上方ステム内へ通過可能な状態に連動させれば良く、図示例では、特殊構成の連結部材29により連動させている。
【００１６】
図示例の連結部材29は、可動シール部26下面に穿設した嵌合孔30内に嵌合させた係合突起31を、嵌合筒内外を上下動する十字板状部32の上端中央より立設し、十字板状部32の外面下端よりそれぞれ突設した棒状突起33を各脚27間の隙間を介して突設した第１連結部材29a と、各棒状突起33外縁部に下端部を固定させて上方へ立設するとともに、その上端部外周を作動部材９の環状ピストン８内周下部に嵌合させた第２連結部材29b とで構成している。環状ピストン８内周面に周設した係合凹溝34に、第２連結部材29b の外周上部に突周設した係合凸条35を嵌合させて、両者を確実に固定する如く構成している。更に、第２連結部材29b 上部には液の流通が可能に窓孔36を穿設している。
【００１７】
そして、作動部材９を押し下げることにより、それと連動する可動シール部26を下降させて空気室Ｒを拡張し、作動部材９の押圧を解除すれば、拡張した空気室Ｒの負圧による可動シール部26の復帰に伴って作動部材９を復帰させる如く構成している。
【００１８】
上記空気室Ｒの可動シール部26変移前の大きさ、或いは変移後の大きさ等は、ポンプ全体の大きさや収納液の粘度等の種々の条件により適宜選択すると良い。因みに、可動シール部26変移前の空気室Ｒの大きさが大きければ作動部材９の可動を行い易く、反面復帰力は小さくなると思われる。
本発明ではまた、筒状部25上端部に空気室内の空気を外部へ一方的に排出する排気弁37を設けている。この排気弁37を設けることにより、作動部材９を押し下げ係止した状態での保管，運搬等の際に、空気室Ｒ内に空気を充満させた状態で行え、また、使用の際には作動部材の係止を外して引き上げることにより、空気室内の不必要な空気を排出できる如く構成している。
【００１９】
図示例に於いては、筒状部25上端の縮径部25a に穿設した排気孔38と、縮径部25a 外周に嵌合させた、エラストマー等の柔軟で弾力性に飛んだ材質で形成された環状弁体39とで排気弁37を構成している。
【００２０】
上記の如く構成したポンプを使用する場合に付いて説明すると、図１の状態からヘッド７の係合を外して筒状部25の縮径部25a 下端縁に位置するフランジ下面に可動シール部26の上面周縁部が当接する状態まで、作動部材９を引き上げる。この際、空気室Ｒ内に充満している不必要な空気は排気孔38より環状弁体39を開いて空気室外部へ排出される。次いで、図２に示す如く、それ以上の作動部材の上昇が行えない状態から作動部材９を押し下げると可動シール部26が下降して空気室Ｒが拡張し、作動部材の押圧を解除すれば、拡張した空気室Ｒの負圧により可動シール部26が上昇し、それに伴って作動部材が上昇する。
作動部材の上下動により、容器体内の液をシリンダ５内に吸い上げ、ステム６を介して噴出ヘッド７の噴出口ａより噴出する。
尚、上記各部材は特に断りのない限り合成樹脂により形成すると良い。
【００２１】
【発明の効果】
以上説明した如く、本発明液体噴出ポンプは、既述構成としたことにより、従来のこの種のポンプの如く金属製のコイルスプリングを使用しないで作動部材の上方復帰を行えるものであり、合成樹脂或いは全体をエラストマー等の分別処理の必要のない材質により形成することができ、しかも、作動部材の復帰能力にも優れて円滑なポンプ機能を発揮できるものである。
【００２２】
また、空気室内に空気が充満した状態で作動部材を押し下げ係止させておくことができるため、運搬，保管を行う際に常時作動部材を上方へ引き上げる力が働くことがなく、外力により係止が外れて作動部材が上昇し、液漏れを生じる等の虞もなく、また、長期の保管中に負圧化状態で保持される空気室内に空気が侵入して作動部材の復帰能力を著しく損なう等の不都合を生じることもない。
また、排気弁の存在で、可動シール部を装着する際に空気室内の余分な空気を抜く必要もなく、可動シール部を簡単に装着することができる利点がある。
【００２３】
また、請求項２発明のポンプでは、極めて簡単な構造で排気弁を形成でき、製造，組み立てを容易に行える利点を兼ね備えている。
【図面の簡単な説明】
【図１】本発明の一実施例を示す半断面図である。
【図２】同実施例の作動部材の上昇した状態を示す半断面図である。
【図３】同実施例の作動部材を押し下げた状態を示す半断面図である。
【符号の説明】
２…容器体，３…口頚部，４…装着筒，５…シリンダ，６…ステム，
７…噴出ヘッド，８…環状ピストン，９…作動部材，25…筒状部，
25a …縮径部，26…可動シール部，37…排気弁，38…排気孔，39…環状弁体，
Ｒ…空気室，ａ…噴出口
【図１】
0003839600.tif 000002
【図２】
0003839600.tif 000003
【図３】
0003839600.tif 000004